(57)【要約】【課題】  携帯用まほうびんや水筒などの液体容器において、注出口が小さなものであっても、内容液を円滑に注ぎ出すことができる注出口構造を実現する。【解決手段】  容器本体１の上端部に、分離可能な栓カバー３と栓４とで構成する栓セット２を着脱自在に装着する。栓セット２を構成する栓４は略帽状であって、下端に真空二重びん８の開口部に密接するパッキン18と、上方に突出する注出管５を備える。栓カバー３は、略帽状であって、栓４の注出管５が貫通し水密状態を維持する注出管支持筒17が形成されている。注出管５の内部には、注出のために傾斜させる傾斜の上方位置に、注出管５の内部を区画して通気管６を配置する。これにより、内容液を注出するときに通気管６を通って器内に空気が流入し、円滑に注液することが可能となる。【選択図】  図１
2006160359.tif 000002
【特許請求の範囲】
【請求項１】
容器本体の上端部に、分離可能な栓カバーと栓とで構成する栓セットを着脱自在に装着し、前記栓に形成され器外に突出する注出管の内部であって、注出のために傾斜させる傾斜の上方位置に、注出管内部を区画して通気管を配置したことを特徴とする液体容器における注出口構造。
【請求項２】
通気管の開口端は、注出管の開口端である注出口よりも内奥であって、キャップの開閉に支障を生じない位置を開口端としたことを特徴とする請求項１記載の液体容器における注出口構造。
【発明の詳細な説明】
【技術分野】
【０００１】
この発明は、主として携帯用まほうびんや水筒などの液体容器であって、その飲み口や注ぎ口から飲料を円滑に流出させるための、注出口構造に関する発明である。
【背景技術】
【０００２】
携帯用まほうびんや水筒などの液体容器には、飲料が収容される容器本体自体の開口部を注出口とし、ここから内容液を注出するものや、特許文献１に開示されるように、容器本体の開口部を閉塞する栓を設け、栓に形成した注出口から内容液を注出もしくは飲用するものがある。特許文献１に開示される液体容器は、注出口から直接飲用すること、もしくはコップなどに注いで飲用することのいずれの方法でも飲用することができるものである。また、液体容器には、栓にストロー状の注出口を設けるものも知られている。
【特許文献１】特開２００３−１５５０５０号公報
【発明の開示】
【発明が解決しようとする課題】
【０００３】
従来の液体容器において、大きな開口部を注出口として利用する液体容器では、内容液は比較的円滑に注出されるが、注出口が小さなものでは排出する液体の容量に相当する空気が器内に流入しにくいため、息つき状態のように内容液の出方が不規則になり、円滑に注出することが困難となる。このため、直接飲用する場合やコップに注ぎ出す場合のいずれの場合においても使用しにくいものとなる。
【０００４】
この欠点を解消するため、従来携帯用まほうびんなどの液体容器では、注出口とは別に栓や容器本体自体に通気孔を設け、飲用もしくは注液する場合に空気が器内に供給されるようにしている。ところが、このようなものであると、キャップを閉じて携行する場合などに、注出口と空気孔の両方を完全に密閉する必要があり、両者を完全に密閉する困難性から、携行中に液洩れする可能性が高いといった欠点を避けることができなかった。
【０００５】
上記欠点を解消するため、従来は栓や容器本体自体に吸気口を設けている。栓などに注出口とは別の吸気口を設けるものでは、吸気口から内容液が洩れる可能性があるため、注出口にキャップをする場合に、注出口と吸気口の両方を完全なシール状態に塞ぐ必要があり、構造が複雑になるとともに、シール不良による吸気口からの液洩れの可能性が高い欠点があった。
【０００６】
上記従来技術の欠点に鑑み、注出口とは別に吸気口を設けることなく円滑に注液もしくは吸飲を行なうことができる、注出口構造を実現することを目的とするものである。また別の目的は、上記円滑な注液もしくは吸飲を行なうことができる液体容器であって、洗浄その他の取扱いが容易な液体容器の注出口構造を実現することである。
【課題を解決するための手段】
【０００７】
上記目的を達成するため、本発明は、容器本体１の上端部に、分離可能な栓カバー３と栓４とで構成する栓セット２を着脱自在に装着する構造とする。そして、栓４に形成され器外に突出する注出管５の内部に、注出のために傾斜させる傾斜の上方位置に、注出管５の内部を区画して通気管６を配置する。注出管５の内部に形成する通気管６は、その開口端が注出管５の開口端よりも内奥であって、キャップの開閉に支障を生じない位置とし、先端が器内に連通するように配置するのが好ましい。
【発明の効果】
【０００８】
請求項１記載の本発明液体容器の注出口構造によれば、内容液を注出管５の開口端である注出口5aから直接飲用する場合、もしくはコップなどに注ぐ場合のいずれの場合であっても、注出管５の内部に形成した通気管６を通って容器内に空気が流入するため、内容液を円滑に流出させることができる。すなわち、本発明は通気管６を注出管５の内部に形成するものであるが、注出のために容器本体１を傾けた場合に、内容液は注出管５の下側を通過するとともに、注出管５の上側を通って空気が内部に流入する。このとき、通気管５の存在によって内容液の流れと空気の流れが分離され、円滑な内容液の流出を実現することができる。また、携行などの場合に、注出口5aをシールすれば同時に通気管もシールされることになり、シール機構を簡略化することができる効果を有する。
【０００９】
さらに、本発明では、容器本体１の上端部に、分離可能な栓カバー３と栓４とで構成する栓セット２を着脱自在に装着し、栓４に形成され器外に突出する注出管５の内部に通気管６を配置するため、栓４のみを分離させ通気管６部分の全体を容易に洗浄することができる。仮に、容器本体１そのものに通気管６を形成するものであると、通気管６の内端部は洗浄することができない。
【００１０】
請求項２記載の発明によれば、注出管５の開口端である注出口5aにキャップ７を装着する場合に、通気管６が邪魔になることがない。また、直接飲用する場合においても、通気管６の存在が邪魔になることがなく、いずれの場合においても通気管６が存在しているにもかかわらず、一つの注出管５の場合と同様に支障なく取り扱うことができる。
【発明を実施するための最良の形態】
【００１１】
以下、本発明に係る液体容器における注出口構造の実施形態を、添付の図面に基づいて説明する。
図１は本発明の実施形態を示す液体容器の上部のみの縦断面図、図２は液体容器全体の斜視図である。
【００１２】
図示実施形態の液体容器は、スポーツなどに携行し、一人で比較的大量の水分を飲用する場合に利用することを主たる目的とするものである。容器本体１は、真空二重びん８の上部に肩部材９を、下端部に底体10を固定し、肩部材９の左右両側面には上下に移動できる門形の提げ手11を装着している。肩部材９には栓カバー３を螺着操作によって着脱自在に装着し、栓カバー３の上面に設けた、後端を支点としバネ12によって開放方向に付勢されるキャップ７を開けることによって、露出した注出管５の注出口5aに直接口を付けて飲用する。
【００１３】
栓カバー３の前端部には、キャップ７を開閉するための開閉ボタン13を配置する。開閉ボタン13は、栓カバー３の前部に形成したボタン収容部に装着している。蓋開閉ボタン13は、バネ14によって前方に付勢され、上端部に形成した受け爪15にキャップ７の先端部分に形成した掛け爪16を係合させることによって閉蓋状態を維持し、開閉ボタン13を押圧することによって受け爪15と掛け爪16の係合を外し、バネ14の弾性によってキャップ７を瞬時に開かせる。
【００１４】
栓セット８は、肩部材９に螺着することができる略帽状の栓カバー３と、栓カバー３に対して分離可能な栓４とで構成し、両者を組み合わせて栓セット２として取り扱う。すなわち、容器本体１の肩部材９に螺着する略帽状の栓カバー３には、その天壁部分に注出管支持筒17を形成し、該部分の上方を覆うようにキャップ７を設ける。一方、栓４は略帽状であって、下端外周部分に真空二重びん８の開口部、具体的には絞り部8aに密着するパッキン18を装着するとともに、上方に向けて開口する注出管５を形成してある。注出管５は、前記栓カバー３の注出管支持筒17に遊貫通して軸方向に移動可能であり、かつパッキン19を装着することによって水密状態を維持することができるように構成している。
【００１５】
キャップ７には、下方に向けてパッキン支持杆20が突出し、パッキン支持杆20に装着したパッキン21によって、注出管５先端の注出口5aを密閉する。パッキン21は、略帽状であって、パッキン支持杆20に対して下方から装着し上端に外鍔22が形成されている。したがって、注出管５の上端である注出口5aが、パッキン21の外鍔22の下面を押し上げ、パッキンの外鍔22の撓み弾性によってシール状態が維持される。すなわち、パッキン21の全体が注出管５の内部に入り込み、パッキン21の上端に形成した外鍔22の下面に注出口5aを当接させている。
【００１６】
栓４に形成する注出管５は、図５に示すように円筒状であり、その内部を区画して通気管６を形成している。液体容器の容器本体１は、注液又は吸飲のため、図３に示すように一定方向に傾ける。図３に示すように液体容器全体を傾けると、図において黒矢印で示すように注出管５の下側を通って内容液が器外に流出し、白矢印で示すように内容液の流れとは逆方向に空気が器内に流入する。そして、注出のための傾きの上方となる部分、すなわち図１や図４に示す実施形態の図面ではその右側に、円形断面である注出管５の円形断面の内方にはみ出すように通気管６を形成している。したがって、通気管６は、注出管５の内部に形成されることになる。注出管５は、筒状であれば必ずしも円筒状である必要はないが、注液口又は飲み口として、さらにパッキン21による均等なシール性などを考慮して円筒状とするのが好ましい。
【００１７】
注出管５の内部に形成する通気管６は、その上端を注出口5aよりも内奥に位置させている。これにより、キャップ７に装着したパッキン21の一部が注出管５の内部に入り込む場合に衝突することがない。しかしながら、容器本体１を傾けたときに、その水位が通気管６の開口よりも下方に位置する場合に空気の流入が円滑となる。したがって、通気管６の上端は、なるべく注出口5aに近いのが好ましく、例えば通気管６の開口端が、注出管５の直径と同寸法程度、内奥に形成する。もっとも、これよりも内奥であっても、注出管５の内面に沿って容器内に入り込んだ空気が、通気管６部分を通過することによって、従来の通気管のない液体容器に比較して円滑な注液効果を有する。なお、通気管６は、これによって容器内に空気を送り込むように作用する関係上、通気管６の先端は注出管５の先端まで形成しておく。
【００１８】
なお、注出管５の奥に例えば円周方向に凹溝として、空気の通過する空気溝を形成することも考えられるが、この場合には注出管を通過して注出される液と、逆方向に入り込む空気との分離が注出管内において不完全となり、円滑に空気を器内に送り込む効果が少なくなる。特に、注液もしくは吸飲の際に、空気溝が液中に水没するような傾きで使用する場合は、円滑に注出する効果が極めて少なくなる。したがって、本発明では、注出管５の中に通気管６を形成して内容液が通過する部分と、空気が通過する部分を完全に分離させることを最大の特徴とする。これにより、内容液を円滑に注ぎ出すことができる顕著な効果を奏する液体容器を実現することができるものである。
【００１９】
図１ないし図５に示す実施形態の液体容器は、比較的大容量の液体容器を想定し、大径となる栓４及び栓カバー３の片側に寄せて注出管５及び注出管支持筒17を形成し、栓カバー３の上面に、栓カバー上面の一部の大きさに相当する比較的小さなキャップ７を開閉自在に配置している。これに対し図６及び図７に示す実施形態の液体容器は、栓４の中心位置に注出管５を配置し、栓カバー３の中心位置に注出管支持筒17を配置している。そして、栓カバー３の上面全体を覆う大きさのキャップ７を栓カバー３の後端部に軸支させている。しかしながら、図１に示す液体容器と図６に示す液体容器は、基本的な構成は同一のものである。
【００２０】
すなわち、栓４の下端に装着したパッキン18が真空二重びん８の絞り部8aに密接して水密状態を維持する栓４が装着され、この栓４は容器本体１に装着される栓カバーによって保持される。そして、栓４の注出管５と栓カバー３の注出管支持筒17とを軸方向に遊動可能としている。また、注出口5aは、パッキン21の外鍔22下面に当接させることによってシールしている。これにより、栓４の位置と栓カバー３の位置の変化を許容し、組立てや部品の寸法誤差にかかわらず完全なシール状態を維持することができる液体容器を実現している。以上、図示したいずれの実施形態においても、栓４と栓カバー３を分離させて取り外しができるため、通気管６の内奥部分を含め、全体を容易に洗浄することができるものである。
【図面の簡単な説明】
【００２１】
【図１】本発明の実施形態に係る液体容器の上部のみの縦断面図、
【図２】本発明の実施形態に係る液体容器全体の斜視図、
【図３】図１に示す液体容器の使用状態を示す縦断面図、
【図４】図１に示す液体容器の栓と栓カバーを分離させて示す縦断面図、
【図５】図４のＶ−Ｖ線断面図、
【図６】別の実施形態を示す液体容器の上部のみの縦断面図、
【図７】図６のVII-VII線断面図。
【符号の説明】
【００２２】
１…容器本体、  ２…栓セット、  ３…栓カバー、  ４…栓、  ５…注出管、  5a…注出口、  ６…通気管、  ７…キャップ、  ８…真空二重びん、  8a…絞り部、  ９…肩部材、  10…底体、  11…提げ手、  12…バネ、  13…開閉ボタン、  14…バネ、  15…受け爪、  16…掛け爪、  1７…注出管支持筒、  18，19，21…パッキン、  20…パッキン支持杆、  22…外鍔。
【図１】
2006160359.tif 000003
【図２】
2006160359.tif 000004
【図３】
2006160359.tif 000005
【図４】
2006160359.tif 000006
【図５】
2006160359.tif 000007
【図６】
2006160359.tif 000008
【図７】
2006160359.tif 000009